(57)【要約】【課題】  医療従事者の顔と名前とが一致する状態でない患者でも、医療従事者の顔を特定できるようにする。【解決手段】  患者を識別する患者識別情報と医療従事者の顔画像情報とを関連付けて記憶する記憶部から、患者を担当する医療従事者の顔画像を親機用制御部１１により抽出し、ナースコール子機１の子機用ディスプレイ６に表示するようにしているので、担当の医療従事者の顔画像が表示され、医療従事者の顔と名前とが一致する状態でない患者でも、自分を担当する医療従事者の顔を特定することができる。【選択図】        図１
2007143843.tif 000002
【特許請求の範囲】
【請求項１】
医療従事者を識別する医療従事者識別情報と医療従事者の顔画像情報とを関連付けて記憶する記憶部と、患者を担当する医療従事者を指定する医療従事者設定操作部と、前記医療従事者設定操作部により指定された医療従事者の顔画像情報を前記医療従事者識別情報により前記記憶部から抽出する親機用制御部と、前記医療従事者の顔画像情報を送信するデータ送信部とを備えたナースコール親機と、
前記データ送信部により送信された前記医療従事者の顔画像情報を受信するデータ受信部と、前記データ受信部により受信した顔画像情報により前記医療従事者の顔画像を表示する表示部とを備えたナースコール子機と、
を有するナースコールシステム。
【請求項２】
医療従事者の呼出し操作を行うナースコール操作部と、前記呼出し操作により前記呼出し操作を行った患者を識別する患者識別情報を含む呼出し信号を送信し、前記患者を担当する医療従事者の顔画像情報を受信する子機用データ送受信部と、前記子機用データ送受信部により受信した顔画像情報に基づいて前記医療従事者の顔画像を表示する表示部とを備えたナースコール子機と、
患者識別情報と医療従事者の顔画像情報とを関連付けて記憶する記憶部と、前記医療従事者の顔画像情報を送信すると共に前記呼出し信号を受信する親機用データ送受信部と、前記呼出し信号に含まれる患者識別情報に関連付けて記憶された医療従事者の顔画像情報を前記記憶部より抽出すると共に、前記患者識別情報によって特定されるナースコール子機に対して前記親機データ送受信部により前記顔画像情報を送信させる親機用制御部とを備えたナースコール親機と、
を有するナースコールシステム。
【請求項３】
医療従事者の呼出し操作を行うナースコール操作部と、前記呼出し操作により前記呼出し操作を行った患者を識別する患者識別情報を含む呼出し信号を送信し、前記呼出し操作に応答した医療従事者の顔画像情報を受信する子機用データ送受信部と、前記子機用データ送受信部により受信した顔画像情報に基づいて前記医療従事者の顔画像を表示する表示部とを備えたナースコール子機と、
医療従事者を識別する医療従事者識別情報と前記医療従事者の顔画像情報とを関連付けて記憶する記憶部と、前記医療従事者の顔画像情報を送信すると共に前記呼出し信号を受信する親機用データ送受信部と、前記呼出し信号に応答した医療従事者の医療従事者識別情報を入力する応答者情報入力部と、前記応答者情報入力部に入力した医療従事者識別情報に関連付けて記憶された医療従事者の顔画像情報を前記記憶部より抽出すると共に、前記呼出し信号に含まれる患者識別情報によって特定されるナースコール子機に対して前記親機データ送受信部により前記顔画像情報を送信させる親機用制御部とを備えたナースコール親機と、
を有するナースコールシステム。
【発明の詳細な説明】
【技術分野】
【０００１】
本発明は、病院などで患者からの要求に応じて看護師などを呼出すナースコールシステムに関する。
【背景技術】
【０００２】
従来、ナースコールシステムでは、病室内の患者の近辺（例えば、ベッド近傍など）に設置されたナースコール子機及び看護師の居る部屋などに設置されたナースコール親機を有線や無線などにより接続している。また、ナースコール子機とナースコール親機との間には廊下灯が接続されている。
【０００３】
ところで、ベッド近傍に配置されたナースコール子機にディスプレイユニットを設け、このディスプレイユニットに医療行為のスケジュールと共に医療従事者の名前を表示する技術が知られている（例えば、特許文献１など）。
【特許文献１】特開２００１−２８２９３３号公報
【０００４】
しかしながら、この特許文献１に記載の技術では、ディスプレイユニットに医療従事者の名前が表示されるだけなので、医療従事者の顔と名前とが一致する状態でない患者は、医療従事者の顔を特定することができないという問題点があった。そのため、医療従事者が病室に入ってきた場合でも、患者は、その医療従事者が自分の担当であることを判別することができないので、スムーズに医療行為が行われなくなってしまうという問題点があった。
【発明の開示】
【発明が解決しようとする課題】
【０００５】
本発明は、このような問題を解決するために成されたものであり、医療従事者の顔と名前とが一致する状態でない患者でも、医療従事者の顔を特定できるようにすることを目的とする。
【課題を解決するための手段】
【０００６】
上述した課題を解決するために、本発明では、患者を識別する患者識別情報と医療従事者の顔画像情報とを関連付けて記憶する記憶部から、患者を担当する医療従事者の顔画像を抽出し、ナースコール子機の表示部に表示するようにしている。
【発明の効果】
【０００７】
上記のように構成した本発明によれば、ナースコール子機の表示部に担当の医療従事者の顔画像が表示されるので、医療従事者の顔と名前とが一致する状態でない患者でも、自分を担当する医療従事者の顔を特定することができる。従って、患者は、担当の医療従事者が病室に入って来たときに自分を担当する医療従事者であることがわかるので、医療行為に対する心の準備をすることができる。これにより、医療従事者は、スムーズに医療行為を行うことができる。
【発明を実施するための最良の形態】
【０００８】
以下、本発明の一実施形態を図面に基づいて説明する。図１は、本実施形態によるナースコールシステムの構成例を示すブロック図である。図１に示すように、本実施形態によるナースコールシステムは、ナースコール子機１及びナースコール親機１０を備えて構成されている。
【０００９】
また、ナースコール子機１は、子機用制御部２、ナースコール操作部３、子機用データ送受信部４（請求項１のデータ受信部に該当する）、子機用表示制御部５、子機用ディスプレイ６を備えて構成されている。ここで、子機用表示制御部５及び子機用ディスプレイは、特許請求の範囲の表示部に該当する。また、ナースコール親機１０は、親機用制御部１１、親機用データ送受信部１２（請求項１のデータ送信部に該当する）、記憶部１３、医療従事者設定操作部１４、親機用表示制御部１５、親機用ディスプレイ１６を備えて構成されている。
【００１０】
図１において、ナースコール子機１は、病室内の患者の近辺（例えば、ベッド近傍など）に設置されており、伝送線を介してナースコール親機１０に接続されている。また、ナースコール親機１０は、医療従事者が在室するナースステーションなどに設置されている。ここで、ナースコール親機１０には、複数のナースコール子機１が接続されている（図示せず）。また、ナースコール子機１とナースコール親機１０との間に廊下灯を設けるようにしても良い。廊下灯は、病室毎に設けられており、各部屋の出入口近傍の外側の壁面などに取り付けられている。
【００１１】
子機用制御部２は、ナースコール子機１の各構成要素を後述するように制御する。ナースコール操作部３は、患者により医療従事者を呼出す操作を行うもので、押しボタンなどにより構成される。ナースコール操作部３が操作されると、子機用制御部２は、ナースコール子機１を識別する子機識別情報（換言すると、ナースコール子機１を使用している患者を識別する患者識別情報）を含む呼出し信号を生成する。ここで、呼出し信号は、医療従事者を呼出すための信号である。
【００１２】
子機用データ送受信部４は、ナースコール親機１０との間でデータの送受信を行う。具体的には、子機用データ送受信部４は、子機用制御部２の制御によりナースコール親機１０に呼出し信号を送信したり、医療従事者の顔画像情報をナースコール親機１０から受信したりする。
【００１３】
子機用表示制御部５は、子機用データ送受信部４が受信した医療従事者の顔画像情報に基づいて所定のフォーマットにて画像を生成し、後述する子機用ディスプレイ６に表示する。子機用ディスプレイ６は、医療従事者の顔画像を含む画像などを表示する。例えば、子機用ディスプレイ６には、図２に示すように、患者の入院日や患者氏名、医療従事者の氏名と共に顔画像２０を含む画像が表示される。ここで、子機用ディスプレイ６は、液晶ディスプレイなどにより構成されており、患者のベッド近傍の壁面に取り付けられていても良いし、ナースコール操作部３と一体的に構成（いわゆるハンド型子機）されていても良い。
【００１４】
親機用制御部１１は、ナースコール親機１０の各構成要素を後述するように制御する。親機用データ送受信部１２は、ナースコール子機１との間でデータの送受信を行う。具体的には、親機用データ送受信部１２は、親起用制御部１１の制御によりナースコール子機１から呼出し信号を受信したり、医療従事者の顔画像情報をナースコール子機１に送信したりする。
【００１５】
記憶部１３は、医療従事者とその医療従事者の顔画像とを関連付けて記憶する。具体的には、記憶部１３は、医療従事者を識別するための医療従事者識別情報とその医療従事者の顔画像とを関連付けて記憶する。ここで、親機用制御部１１は、医療従事者識別情報をキーとして対応する医療従事者の顔画像情報を抽出する。なお、図２に示すような画像を生成する際には、記憶部１３は、患者の入院日や患者氏名、医療従事者の氏名などの情報を記憶するようにしても良い。
【００１６】
医療従事者設定操作部１４は、患者毎に担当する医療従事者を設定する操作を行うものである。具体的には、医療従事者設定操作部１４は、患者の患者識別情報とその患者を担当する医療従事者の医療従事者識別情報とを関連付ける操作を行う。ここで、関連付けた各情報は、記憶部１３に記憶される。
【００１７】
親機用表示制御部１５は、ナースコール子機１による呼出し操作があった場合に、その内容（例えば、呼出した患者の名前、患者識別情報と医療従事者識別情報との関連付けの内容など）を表示するための画像を生成し、後述する親機用ディスプレイ１６に表示する。親機用ディスプレイ１６は、その内容を表示する。
【００１８】
このように構成したナースコールシステムにおいて、ある患者がナースコール子機１のナースコール操作部３を操作すると、子機用制御部２は、呼出し信号を生成する。また、子機用制御部２は、子機用データ送受信部４を制御して、呼出し信号をナースコール親機１０に送信する。
【００１９】
ナースコール親機１０の親機用データ送受信部１２は、呼出し信号を受信する。親機用制御部１１は、親機用データ送受信部１２が受信した呼出し信号に含まれる患者識別情報をキーとして担当の医療従事者識別情報を記憶部１３から抽出する。また、親機用制御部１１は、抽出した医療従事者識別情報をキーとして担当の医療従事者の顔画像情報を記憶部１３から抽出する。そして、親機用制御部１１は、親機用データ送受信部１２を制御して、呼出しを行ったナースコール子機１に対して、顔画像情報を送信する。
【００２０】
ナースコール子機１の子機用データ送受信部４は、顔画像情報を受信する。子機用制御部２は、子機用データ送受信部４が受信した顔画像情報を子機用表示制御部５に出力する。子機用表示制御部５は、入力した顔画像情報を基に画像を生成し、子機用ディスプレイ６に表示する。
【００２１】
以上詳しく説明したように、本実施形態によれば、患者を識別する患者識別情報と医療従事者の顔画像情報とを関連付けて記憶する記憶部から、患者を担当する医療従事者の顔画像を親機用制御部１１により抽出し、ナースコール子機１の子機用ディスプレイ６に表示するようにしている。これにより、担当の医療従事者の顔画像が表示されるので、医療従事者の顔と名前とが一致する状態でない患者でも、自分を担当する医療従事者の顔を特定することができる。従って、患者は、担当の医療従事者が病室に入って来たときに自分を担当する医療従事者であることがわかるので、医療行為に対する心の準備をすることができる。これにより、医療従事者は、スムーズに医療行為を行うことができる。
【００２２】
なお、前述した実施形態では、ナースコール子機１から呼出し信号が出力されたときに、ナースコール親機１０は、担当の医療従事者の顔画像情報を送信するようにしているが、これに限定されない。例えば、患者が入院した場合や、担当の医療従事者が交代した場合などに、医療従事者は、医療従事者設定操作部１４によって患者識別情報と医療従事者識別情報とを関連付け、その医療従事者識別情報に関連付けられた顔画像情報を記憶部１３から抽出して親機用データ送受信部１２によりナースコール子機１に予め送信しておくようにしても良い。ここで、ナースコール子機１では、ナースコール親機１０から受信した顔画像情報を担当の医療従事者の顔画像情報として図示しない記憶部に記憶しておく。これにより、顔画像の送受信いちいち行う必要がなくなる。
【００２３】
また、このような場合において、図２に示すような画像を生成する際には、ナースコール子機１に設けた記憶部は、患者の入院日や患者氏名、医療従事者の氏名などの情報を記憶するようにしても良い。
【００２４】
また、前述した実施形態では、患者を担当している医療従事者の顔画像を子機用ディスプレイ６に表示するようにしているが、これに限定されない。例えば、ナースコール子機１の呼出しに応答した医療従事者の顔画像を子機用ディスプレイ６に表示するようにしても良い。具体的には、図３に示すように、医療従事者が持ち歩くナースコール副親機１８との間で無線通信を行う無線送受信部１７をナースコール親機１０に設ける。ここで、ナースコール副親機１８は、ＰＨＳ（Personal
Handy-phone System）などの携帯端末であり、複数存在している。
【００２５】
このように構成したナースコールシステムにおいて、ある患者がナースコール子機１のナースコール操作部３を操作すると、子機用制御部２は、呼出し信号を生成する。また、子機用制御部２は、子機用データ送受信部４を制御して、呼出し信号をナースコール親機１０に送信させる。
【００２６】
ナースコール親機１０の親機用データ送受信部１２は、呼出し信号を受信する。親機用制御部１１は、無線送受信部１７によりナースコール副親機１８に呼出し信号を送信する。ナースコール副親機１８は、呼出し信号を受信すると、呼出し音を鳴らしたり、振動したりして、呼出しがあったことを報知すると共に、呼出しを行った患者の氏名を図示しないディスプレイに表示する。ナースコール副親機１８を所持する医療従事者がこの呼出しに対して応答すると、ナースコール副親機１８は、応答した医療従事者の医療従事者識別情報を無線送受信部１７に送信する。
【００２７】
無線送受信部１７が医療従事者識別情報を受信すると、親機用制御部１１は、受信した医療従事者識別情報をキーとして応答した医療従事者の顔画像情報を記憶部１３から抽出する。そして、親機用制御部１１は、親機用データ送受信部１２を制御して、呼出しを行ったナースコール子機１に対して、顔画像情報を送信する。
【００２８】
ナースコール子機１の子機用データ送受信部４は、顔画像情報を受信する。子機用制御部２は、子機用データ送受信部４が受信した顔画像情報を子機用表示制御部５に出力する。子機用表示制御部５は、入力した顔画像情報を基に画像を生成し、子機用ディスプレイ６に表示する。これにより、呼出しに対して応答した医療従事者の顔画像が表示されるので、患者は、どの医療従事者が応答したかを容易に判断することができる。
【００２９】
なお、この実施形態では、ナースコール副親機１８が医療従事者識別情報を送信しているが、これに限定されない。例えば、ナースコール副親機１８に端末毎に異なる端末識別情報を設定し、ナースコール副親機１８を所持している医療従事者の医療従事者識別情報と端末識別情報とをナースコール親機１０の記憶部１３に関連付けて記憶しておくようにしても良い。
【００３０】
具体的には、呼出しに応答する際に、ナースコール副親機１８は、端末識別情報を無線送受信部１７に送信する。無線送受信部１７が端末識別情報を受信すると、親機用制御部１１は、受信した端末識別情報をキーとして応答した医療従事者の医療従事者識別情報を記憶部１３から抽出する。また、親機用制御部１１は、抽出された医療従事者識別情報をキーとして応答した医療従事者の顔画像情報を記憶部１３から抽出する。
【００３１】
また、前述した実施形態では、ナースコール子機１による呼出し操作を行った場合に、顔画像を子機用ディスプレイ６に表示しているが、これに限定されない。例えば、図示しない確認ボタンなどを押下することで、ナースコール親機１０から顔画像情報を取得する動作のみを行ったり、ナースコール子機１に設けた図示しない一時記憶部に記憶した顔画像情報を読み出したりするようにしても良い。
【００３２】
また、このような場合において、電源が無くても表示内容を保持できる電子ペーパーなどを子機用ディスプレイ６としても良い。
【００３３】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００３４】
本発明は、病院などで患者が医療従事者を呼出すナースコールシステムに有用であり、特に、患者が医療従事者を呼出すナースコール子機に有用である。
【図面の簡単な説明】
【００３５】
【図１】本実施形態によるナースコールシステムの構成例を示すブロック図である。
【図２】本実施形態のナースコールシステムによる子機用ディスプレイの表示例を示す図である。
【図３】本実施形態によるナースコールシステムの変形例を示すブロック図である。
【符号の説明】
【００３６】
１    ナースコール子機
２    子機用制御部
３    ナースコール操作部
４    子機用データ送受信部
５    子機用表示制御部
６    子機用ディスプレイ
１０    ナースコール親機
１１    親機用制御部
１２    親機用データ送受信部
１３    記憶部
１４    医療従事者設定操作部
１５    親機用表示制御部
１６    親機用ディスプレイ
１７    無線送受信部
１８    ナースコール副親機
【図１】
2007143843.tif 000003
【図２】
2007143843.tif 000004
【図３】
2007143843.tif 000005